(57)【要約】【課題】  装置本体を両手で安定した状態で保持しながらシャッターボタンを押すことができ、操作性がよく、手振れを低減して、良好な画質の画像を撮影することのできるカメラ付き電子機器を得る。【解決手段】  装置本体１の正面の所望の位置に配置されたカメラレンズ部３と、装置本体の上部側面の所望の位置に配置されたシャッターボタン２と、装置本体の内部に備えた基板上に実装され、シャッターボタンを押下することにより作動して、撮影のためのスイッチング動作がなされるスイッチ手段を備え、スイッチ手段の動作によってカメラレンズ３に付与される力の方向が、カメラレンズ部の光軸と交わる点と略一致する点を通り、光軸に垂直の方向で、かつ、装置本体の上下方向と平行なカメラレンズの中心軸３ａの方向と一致するように、スイッチ手段の動作方向を設定したものである。【選択図】図１
2006330259.tif 000002
【特許請求の範囲】
【請求項１】
装置本体の正面の所望の位置に配置されたカメラレンズ部と、装置本体の上部側面の所望の位置に配置されたシャッターボタンと、前記装置本体の内部に備えた基板上に実装され、前記シャッターボタンを押下することにより作動して、撮影のためのスイッチング動作がなされるスイッチ手段を備え、前記スイッチ手段の動作によって前記カメラレンズに付与される力の方向が、前記カメラレンズ部の光軸と交わる点と略一致する点を通り、前記光軸に垂直の方向で、かつ、装置本体の上下方向と平行なカメラレンズの中心軸の方向と略一致するように、前記スイッチ手段の動作方向を設定したことを特徴とするカメラ付き電子機器。
【請求項２】
前記スイッチ手段は、シャッターボタンからの押圧力を伝達する変形可能な伝達部材と、この伝達部材からの押圧力を受けて変形し、撮影のためのスイッチングを行なう湾曲状変形部材を備え、前記湾曲状変形部材の変形によってカメラレンズに付与される力の方向が、前記カメラレンズの中心軸の方向と略一致するように構成したことを特徴とする請求項１に記載のカメラ付き電子機器。
【請求項３】
前記装置本体の下部側面に、所望の大きさの溝部を備え、前記溝部の中心軸が、前記カメラレンズの中心軸、或いは前記スイッチ手段の動作方向と略一致するようにしたことを特徴とする請求項１または請求項２に記載のカメラ付き電子機器。
【請求項４】
前記溝部が、ユーザが撮影時、両手で前記装置本体の上部側面及び下部側面の右側及び左側をそれぞれ保持する際、シャッターボタンを押す側の手の親指を保持するのに適切な大きさ及び形状であることを特徴とする請求項３に記載のカメラ付き電子機器。
【発明の詳細な説明】
【技術分野】
【０００１】
この発明は、デジタルカメラやカメラ付き携帯電話機などのカメラ付き電子機器に関し、特に、撮影時の手振れ防止構造を備えたカメラ付き電子機器に関するものである。
【背景技術】
【０００２】
デジタルカメラ撮影時の手振れを防止する従来技術として、例えば特開２００３−８７６２９号公報（以下、特許文献１と称す。）に示されるものがある。
この特許文献１に示されるものは、デジタルカメラの撮影レンズ配置面（装置本体の正面）の反対側の面（背面）に、レリーズボタン（シャッターボタン）を配置し、かつ、撮影レンズとレリーズボタンは、同軸上に位置させることにより、親指でレリーズボタンを押すよう構成し、レリーズボタン押下時に、装置本体に付与される力は、撮影レンズの前後方向となるようにして、光軸に対し回転方向の手振れを防止しようとするものである。
【０００３】
【特許文献１】特開２００３−８７６２９号公報
【発明の開示】
【発明が解決しようとする課題】
【０００４】
しかしながら、上記従来装置においては、撮影時、カメラの上面と下面を指で保持しながら、保持方向に垂直な軸方向にスイッチを押さなければならず、したがって、片手で装置本体の上下側面を保持しながら、もう片方の手の指で、装置本体の裏面側に配置されたレリーズボタンを押さなければならず、操作性が悪いという課題があった。
また、装置本体の上下側面を両手で保持しながら、レリーズボタンを押すことができず、片手保持の状態で、レリーズボタンを押さなければならない為、撮影時に装置本体を安定して保持することが困難となり、手振れの抑制が難しいという課題があった。
【０００５】
この発明は、上記のような従来装置の問題点を解消するためになされたものであって、
装置本体を両手で安定した状態で保持しながらシャッターボタンを押すことができ、操作
性がよく、手振れを低減して、良好な画質の画像を撮影することのできる、手振れ防止構
造を具備したカメラ付き電子機器を提供することを目的とする。
【課題を解決するための手段】
【０００６】
この発明に係るカメラ付き電子機器は、装置本体の正面の所望の位置に配置されたカメラレンズ部と、前記装置本体の上部側面の所望の位置に配置されたシャッターボタンと、前記装置本体の内部に備えた基板上に実装され、前記シャッターボタンを押下することにより作動して、撮影のためのスイッチング動作がなされるスイッチ手段を備え、前記スイッチ手段の動作によって前記カメラレンズに付与される力の方向が、前記カメラレンズ部の光軸と交わる点と略一致する点を通り、前記光軸に垂直の方向で、かつ、装置本体の上下方向と平行なカメラレンズの中心軸の方向と略一致するように、前記スイッチ手段の動作方向を設定したものである。
【発明の効果】
【０００７】
この発明のカメラ付き電子機器によれば、撮影時に、カメラレンズ部に付与される力は、カメラレンズの光学軸に垂直な装置本体上下方向のみとなり、回転方向の力、いわゆる回転モーメントの発生を抑制して、手振れを低減し、良好な画質の画像を記録することができる。
【０００８】
また、カメラレンズを装置本体の正面の所望の位置に配置し、シャッターボタンを装置本体の上部側面の所望の位置に配置したことにより、ユーザは、装置本体の上部側面及び下部側面の右側及び左側を両手でそれぞれ保持しながら、シャッターボタンを押すことができ、操作性が良く、装置本体を安定して保持し、手振れを低減した状態で撮影することが出来る。
【発明を実施するための最良の形態】
【０００９】
実施の形態１．
図１は、この発明の実施の形態１によるカメラ付き電子機器の外観を示す正面図である。
図１において、１は、例えばデジタルカメラのような装置本体、２はシャッターボタン、３はカメラレンズを示す。また、３ａは、カメラレンズ３の光軸に垂直な方向であり、且つ、装置本体１の上下方向に平行なカメラレンズ中心軸を示す。
なお、光軸とは、この軸を中心にレンズを回転させた場合に、回転前のレンズの形状と、回転しているレンズの形状とがほとんど変化しない軸をいう。
図２は、図１に示すＡ部の要部構成図であり、装置本体内部を透視した状態で示した透視図である。
図２において、４は、シャッターボタン２を接着或いは両面テープ貼り付け固定したシリコーンゴム成形品であるベースラバー（以下、伝達部材ともいう。）を示し、ベースラバー４は、内蔵基板６に対し、ベースラバー厚肉支持部４ａにて載置されている。なお、ベースラバー厚肉支持部４ａは、ベースラバー４に一体成形されている。４ｂは、ベースラバー４に一体成形された突起部（以下、アクチュエータと呼ぶ）である。
【００１０】
５は、湾曲状に形成された金属ドーム（以下、湾曲状変形部材ともいう。）であり、シャッターボタン２の押下時、アクチュエータ４ｂにて、金属ドーム５の略センターを押圧できるように、内蔵基板６に実装されている。なお、内蔵基板６に対し、金属ドーム５は、片面に粘着材を備えたテープ５ｂにて貼り付け固定されている。
また、内蔵基板６における金属ドーム５の実装位置には、電気的接続用の接点６ａ、６ｂがパターニングされており、シャッターボタン２の押下時、アクチュエータ４ｂが金属ドーム５の略中心位置を押圧し、金属ドーム５が反転することにより、金属ドーム５に設けた接点部５ｃと内蔵基板上の接点６ａが導通することにより、スイッチングがなされる。５ａは、金属ドーム５の中心軸を示し、カメラレンズ中心軸３ａと略一致している。
７は、シャッターボタン２を外部に露出させる為の穴を備えた外装筐体を示す。
【００１１】
なお、この発明の実施の形態１では、シャッターボタン２とベースラバー４を別部品とし、接着或いは両面テープ貼り付け固定しているが、例えば、シャッターボタン２とベースラバー４をシリコーンゴムにて一体成形した構成でも良い。
また、この発明の実施の形態１では、撮影のためのスイッチング手段としての機械的アクションスイッチとして、金属ドーム５を使用しているが、タクトスイッチやオートホーカスに対応した二値化的（２段階）スイッチであっても良い。
なお、金属ドーム５は、異物かみ込みによる接点不良を防止するため、接点部５ｃ（突起）を設けているが、接点部５ｃが無くても成り立つことは言うまでもない。
【００１２】
次に、図１、図２を用いて、実施の形態１の手振れ防止構造を具備したカメラ付き電子機器の動作説明を行う。
ユーザは、被写体の撮影時、図１に示す装置本体１の上部側面及び下部側面の、右側及び左側を両手でそれぞれ保持しながら、シャッターボタン２を押す。
なお、この実施の形態１においては、右利きの方が多いことを考慮し、図１に示す通り、カメラレンズ３及びシャッターボタン２は、装置本体１の正面において、装置本体１のセンターより左側部にて、且つ、装置本体１を両手で保持した際、右手人差し指（以下、操作指と呼ぶ）にて無理なくシャッターボタン２を押せる位置に配置している。この点については、従来品と同じ考え方のもと、配慮された設計と考えて良い。
シャッターボタン２を操作指で押し込むと、アクチュエータ４ｂが、金属ドーム５を反転させ、金属ドームの接点５ｃと基板側の接点６ａが導通し、スイッチングがなされる。これによって、カメラレンズに内蔵されたＣＣＤ（図示せず）で捉えた被写体の画像情報が電気信号に変換され、内部に備えたメモリ（図示せず）に記録される。
【００１３】
この時、カメラレンズの中心軸３ａと、金属ドーム５の動作方向、即ち中心軸５ａが、略一致しているため、カメラレンズ３に付与される力は、カメラレンズ３の光軸に垂直な装置本体１の上下方向のみとなり、回転方向の力、いわゆる回転モーメントが発生しないため、手振れを低減し、良好な画質の画像を記録することができる。
また、カメラレンズ３を装置本体１の正面に配置し、シャッターボタン２を装置本体の上部側面に配置したことにより、ユーザは、両手で装置本体１の上部側面及び下部側面の右側及び左側をそれぞれ保持しながら、シャッターボタン２を押すことができ、即ち、片手のみで保持し撮影することを強いられない為、装置本体１を安定して保持し、手振れを低減した状態で撮影することが出来る。
【００１４】
なお、この実施の形態１におけるメモリは、フラッシュメモリであり、即ち、本発明の実施の形態１における装置本体１は、いわゆるデジタルカメラ（電子スチルカメラともいう）であるが、この発明はこれに限らず、例えば、被写体の画像情報パターンをフィルムに写し取る、いわゆる銀塩カメラであっても良い。また、近年急速に普及したカメラ付き携帯電話機であっても良い。
本発明のポイントは、カメラレンズの中心軸３ａと金属ドームの中心軸５ａを略一致させていることであり、従って、シャッターボタン２の中心軸に制約を設けるものではなく、実施の形態１においても、シャッターボタン２は、カメラレンズの中心軸３ａや金属ドームの中心軸５ａに対し、対象形状にはなっていない。シャッターボタン２の形状については、操作性、デザイン性を加味した上で、設計されれば良いものである。
【００１５】
実施の形態２．
図３は、この発明の実施の形態２におけるカメラ付き電子機器の外観を示す正面図である。図中、図１、図２と同じ機能を持つ構成部品については、同一符号を付与しており、説明を省略する。
図３において、８は、撮影時、ユーザが装置本体１を両手で保持する際、右手親指をあてがう溝部であり、親指を保持しやすい大きさ及び形状に工夫されている。８ａは、溝部８の中心軸であり、カメラレンズの中心軸３ａ或いは、金属ドームの中心軸５ａに略一致している。
以下、図２、図３を用いて、実施の形態２の手振れ防止構造を具備したカメラ付き電子機器の動作説明を行う。
ユーザは、被写体の撮影時、図３に示す装置本体１の上部側面及び下部側面の右側及び左側を両手でそれぞれ保持しながら、シャッターボタン２を押す。
なお、この実施の形態２においても、右利きの方が多いことを考慮し、図３に示す通り、カメラレンズ３及びシャッターボタン２は、装置本体１の正面において、装置本体１のセンターより左側部にて、且つ、装置本体１を両手で保持した際、右手人差し指（以下、操作指と呼ぶ）にて無理なくシャッターボタン２を押せる位置に配置している。
また、右手での保持については、装置本体１の下部に配置された溝部８に親指をあてがい、シャッターボタン２を操作指で押し込むと、アクチュエータ４ｂが、金属ドーム５を反転させ、金属ドームの接点５ｃと基板側の接点６ａが導通し、スイッチングがなされる。これによって、カメラレンズに内蔵されたＣＣＤ（図示せず）で捉えた被写体の画像情報が電気信号に変換され、内部に備えたメモリ（図示せず）に記録される。
【００１６】
この時、実施の形態１で説明したように、カメラレンズの中心軸３ａと、金属ドームの中心軸５ａが略一致しているため、カメラレンズ３に付与される力は、カメラレンズ３の光軸に垂直な装置本体１の上下方向のみとなり、回転方向の力、いわゆる回転モーメントが発生しないため、手振れを低減し、良好な画質の画像を記録することができる。
また、カメラレンズ３を装置本体１の正面に配置し、シャッターボタン２を装置本体の上部側面に配置したことにより、ユーザは、装置本体１の上部側面及び下部側面の右側及び左側を両手でそれぞれ保持しながら、シャッターボタン２を押すことができ、即ち、片手のみで保持し撮影することを強いられない為、装置本体１を安定して保持し、手振れを低減した状態で撮影することが出来る。
加えて、この実施の形態２によれば、溝部８の中心軸８ａが、カメラレンズの中心軸３ａ或いは、金属ドームの中心軸５ａに略一致している為、より安定した状態に装置本体１を保持した状態で、撮影することが出来、シャッターボタン２を押しても装置本体１はほとんど回転せず、カメラレンズは移動しない。したがって、手振れの影響を更に低減可能である。
【産業上の利用可能性】
【００１７】
この発明は、デジタルカメラや、カメラ付き携帯電話機など、カメラ付き電子機器に適用することできる。
【図面の簡単な説明】
【００１８】
【図１】この発明の実施の形態１におけるカメラ付き電子機器の外観を示す正面図である。
【図２】図１に示すＡ部の要部構成図である。
【図３】この発明の実施の形態２におけるカメラ付き電子機器の外観を示す正面図である。
【符号の説明】
【００１９】
１：装置本体
２：シャッターボタン
３：カメラレンズ
３ａ：カメラレンズの中心軸
４：ベースラバー（伝達部材）
４ｂ：突起部（アクチュエータ）
５：金属ドーム（湾曲状変形部材）
５ａ：金属ドームの中心軸
５ｃ：金属ドームの接点
６：内蔵基板  ６ａ：接点  
８：溝部  ８ａ：溝部の中心軸
【図１】
2006330259.tif 000003
【図２】
2006330259.tif 000004
【図３】
2006330259.tif 000005